(57)【要約】【課題】  回収路上の玉詰まりが正常な玉詰まりか否かを正確に判断することができる回収路における玉詰まり検知システムを提供する。【解決手段】  玉計数装置１２に玉が返却されていることを検知する返却玉検知センサ１３からの検知信号がある状態において、アウトレール６上に玉が所定時間停留していることを検知するゴミ取り装置２０ａに設けられる第１〜第６玉検知センサのいずれかからの検知信号があっても、その場合には、異常報知装置３０によって玉詰まり異常であるとの報知を行わないようにし、返却玉検知センサ１３からの検知信号がない状態において、第１〜第６玉検知センサのいずれかからの検知信号がある場合には、異常報知装置３０が報知を行うように制御されるので、玉詰まり異常であることが判断でき、アウトレール６上の玉詰まりを正確に判断することができる。【選択図】    図１
2007289516.tif 000002
【特許請求の範囲】
【請求項１】
遊技島の内部に取り込んだ玉を遊技島に設けられる揚送装置に向けて回収する回収路上の玉詰まりを検知する玉詰まり検知システムであって、
前記回収路上に玉が所定時間停留していることを検知する第１の玉検知手段と、前記回収路上に玉が所定時間停留する状態が出現する条件が成立していることを検知する条件検知手段と、玉詰まり異常を報知する報知手段と、前記第１の玉検知手段の検知信号と前記条件検知手段の検知信号とに基づいて前記報知手段を制御する報知制御手段と、を備え、
前記報知制御手段は、前記条件検知手段からの検知信号がない状態で前記第１の玉検知手段からの検知信号に基づいて前記報知手段で玉詰まり異常を報知する一方、前記条件検知手段からの検知信号がある状態で前記第１の玉検知手段からの検知信号に基づいて前記報知手段で玉詰まり異常を報知しないようにしたことを特徴とする玉詰まり検知システム。
【請求項２】
前記遊技島には、遊技客が獲得した玉の返却を受けて計数した後当該遊技島の内部に取り込むための玉計数装置を備え、
前記条件検知手段は、前記玉計数装置に玉が返却されていることを検知する第２の玉検知手段を含み、
前記報知制御手段は、前記第２の玉検知手段からの検知信号がない状態で前記第１の玉検知手段からの検知信号に基づいて前記報知手段で玉詰まり異常を報知する一方、前記第２の玉検知手段からの検知信号がある状態で前記第１の玉検知手段からの検知信号に基づいて前記報知手段で玉詰まり異常を報知しないようにしたことを特徴とする請求項１記載の玉詰まり検知システム。
【請求項３】
前記報知制御手段は、前記第２の玉検知手段からの検知信号がある状態で前記第１の玉検知手段からの検知信号に基づいて前記報知手段で玉詰まり異常を報知していない場合であって前記第２の玉検知手段からの検知信号がある状態からない状態に変化した場合に、その検知信号がない状態に変化してから所定時間が経過したときに、前記第１の玉検知手段からの検知信号に基づいて前記報知手段で玉詰まり異常を報知することを特徴とする請求項２記載の玉詰まり検知システム。
【請求項４】
前記報知制御手段は、前記第２の玉検知手段からの検知信号がない状態で前記第１の玉検知手段からの検知信号に基づいて前記報知手段で玉詰まり異常を報知している場合であって前記第２の玉検知手段からの検知信号がない状態からある状態に変化した場合に、前記第１の玉検知手段からの検知信号に基づいて前記報知手段で玉詰まり異常を継続して報知することを特徴とする請求項２又は請求項３記載の玉詰まり検知システム。
【請求項５】
前記条件検知手段は、前記揚送装置の駆動を検知する駆動検知手段を含み、
前記報知制御手段は、前記駆動検知手段からの検知信号が導出されていない場合に、前記第１の玉検知手段からの検知信号があっても前記報知手段で玉詰まり異常を報知しないことを特徴とする請求項１乃至請求項４のいずれかに記載の玉詰まり検知システム。
【請求項６】
前記回収路は、その上面を流れる玉を複数の流路にわけて流下させるように構成され、
前記第１の玉検知手段は、前記複数の流路毎に設けられる近接センサによって構成されていることを特徴とする請求項１乃至請求項５のいずれかに記載の玉詰まり検知システム。
【請求項７】
前記報知制御手段は、前記複数の流路毎に設けられる近接センサのうちのいずれか１つの近接センサと前記条件検知手段とからの検知信号に基づいて前記報知手段を制御することを特徴とする請求項６記載の玉詰まり検知システム。
【請求項８】
前記回収路には、前記第１の玉検知手段の設置位置の下流側に玉を下流側に誘導する一方異物を落下させる異物用落下溝を形成し、該異物用落下溝の下方にゴミ集積箱を挿脱自在に設けたことを特徴とする請求項１乃至請求項７のいずれかに記載の玉詰まり検知システム。
【請求項９】
前記ゴミ集積箱には、所定量の異物が貯留されたことを検出する異物検知手段を設け、
前記報知制御手段は、前記異物検知手段からの検知信号に基づいて前記報知手段で異物が貯留されたことを報知することを特徴とする請求項８記載の玉詰まり検知システム。
【発明の詳細な説明】
【技術分野】
【０００１】
本発明は、遊技島の内部に取り込んだ玉を遊技島に設けられる揚送装置に向けて回収する回収路上の玉詰まりを検知する玉詰まり検知システムに関するものである。
【背景技術】
【０００２】
従来、遊技島の内部に取り込んだ玉を遊技島に設けられる揚送装置に向けて回収する回収路上において、例えばコイン等の異物の該回収路内へ混入や回収路自体の破損等の回収路上の何らかの原因により、該回収路の途中で完全に玉が完全に停留している状態である玉詰まり（玉詰まり異常とも言う）が発生すると、揚送装置に玉が供給されなくなって遊技島における玉の循環に支障を来たし、また、該玉詰まりに起因して遊技島に設置される遊技機からの玉（所謂、アウト玉）の排出や回収路へ玉を排出する方式の玉計数装置への玉（所謂、賞品玉）の返却に支障を来たすという欠点があった。そのため、従来から回収路の玉詰まりを検出する技術が提案されていた。例えば、実開平６−４６７７９号公報（以下、「先行技術文献１」という。）や特開平１０−１２７９１７号公報（以下、「先行技術文献２」という。）がある。
【０００３】
これら先行技術文献１，２に記載される技術を採用することにより、上記のような玉詰まりを検出することができるため、ホール側は玉詰まりの発見を容易に行うことができ、回収路に対して玉詰まり解消のためのメンテナンスを確実に実施することができるという効果があった。
【特許文献１】実開平６−４６７７９号公報（図１）
【特許文献２】特開平１０−１２７９１７号公報（請求項１）
【発明の開示】
【発明が解決しようとする課題】
【０００４】
しかし、これら先行技術文献１，２に記載される技術には、以下の問題点があった。それは、例えば、玉計数装置に一時的に多量の景品玉が返却されたときや揚送装置自体のメンテナンス等で一時的にその駆動が停止されているときのような場合、回収路上では玉が所定時間停留している状態が発生する場合（回収路に対して玉詰まり解消のためのメンテナンスは、必要なし）があるが、このような場合であっても、回収路に対して玉詰まり解消のためのメンテナンスが必要な玉詰まりとして検出してしまっていた。これでは、本当に回収樋に対して玉詰まり解消のためのメンテナンスが必要な否かが把握することができなくなってしまい、玉詰まりを検出する度に、ホール側は回収路の点検確認を余儀なくされてしまっていた。
【０００５】
本発明は、上記した事情に鑑みなされたもので、その目的とするところは、回収路に対して玉詰まり解消のためのメンテナンスが必要な玉詰まりを正確に判断することができる回収路における玉詰まり検知システムを提供することにある。
【課題を解決するための手段】
【０００６】
上記した目的を達成するために、請求項１に記載の発明においては、遊技島の内部に取り込んだ玉を遊技島に設けられる揚送装置に向けて回収する回収路上の玉詰まりを検知する玉詰まり検知システムであって、前記回収路上に玉が所定時間停留していることを検知する第１の玉検知手段と、前記回収路上に玉が所定時間停留する状態が出現する条件が成立していることを検知する条件検知手段と、玉詰まり異常を報知する報知手段と、前記第１の玉検知手段の検知信号と前記条件検知手段の検知信号とに基づいて前記報知手段を制御する報知制御手段と、を備え、前記報知制御手段は、前記条件検知手段からの検知信号がない状態で前記第１の玉検知手段からの検知信号に基づいて前記報知手段で玉詰まり異常を報知する一方、前記条件検知手段からの検知信号がある状態で前記第１の玉検知手段からの検知信号に基づいて前記報知手段で玉詰まり異常を報知しないようにしたことを特徴とする。
【０００７】
また、請求項２に記載の発明においては、請求項１記載の玉詰まり検知システムにおいて、前記遊技島には、遊技客が獲得した玉の返却を受けて計数した後当該遊技島の内部に取り込むための玉計数装置を備え、前記条件検知手段は、前記玉計数装置に玉が返却されていることを検知する第２の玉検知手段を含み、前記報知制御手段は、前記第２の玉検知手段からの検知信号がない状態で前記第１の玉検知手段からの検知信号に基づいて前記報知手段で玉詰まり異常を報知する一方、前記第２の玉検知手段からの検知信号がある状態で前記第１の玉検知手段からの検知信号に基づいて前記報知手段で玉詰まり異常を報知しないようにしたことを特徴とする。
【０００８】
また、請求項３に記載の発明においては、請求項２記載の玉詰まり検知システムにおいて、前記報知制御手段は、前記第２の玉検知手段からの検知信号がある状態で前記第１の玉検知手段からの検知信号に基づいて前記報知手段で玉詰まり異常を報知していない場合であって前記第２の玉検知手段からの検知信号がある状態からない状態に変化した場合に、その検知信号がない状態に変化してから所定時間が経過したときに、前記第１の玉検知手段からの検知信号に基づいて前記報知手段で玉詰まり異常を報知することを特徴とする。
【０００９】
また、請求項４に記載の発明においては、請求項２又は請求項３に記載の玉詰まり検知システムにおいて、前記報知制御手段は、前記第２の玉検知手段からの検知信号がない状態で前記第１の玉検知手段からの検知信号に基づいて前記報知手段で玉詰まり異常を報知している場合であって前記第２の玉検知手段からの検知信号がない状態からある状態に変化した場合に、前記第１の玉検知手段からの検知信号に基づいて前記報知手段で玉詰まり異常を継続して報知することを特徴とする。
【００１０】
また、請求項５に記載の発明においては、請求項１乃至請求項４のいずれかに記載の玉詰まり検知システムにおいて、前記条件検知手段は、前記揚送装置の駆動を検知する駆動検知手段を含み、前記報知制御手段は、前記駆動検知手段からの検知信号が導出されていない場合に、前記第１の玉検知手段からの検知信号があっても前記報知手段で玉詰まり異常を報知しないことを特徴とする。
【００１１】
また、請求項６に記載の発明においては、請求項１乃至請求項５のいずれかに記載の玉詰まり検知システムにおいて、前記回収路は、その上面を流れる玉を複数の流路にわけて流下させるように構成され、前記第１の玉検知手段は、前記複数の流路毎に設けられる近接センサによって構成されていることを特徴とする。
【００１２】
また、請求項７に記載の発明においては、請求項６記載の玉詰まり検知システムにおいて、前記報知制御手段は、前記複数の流路毎に設けられる近接センサのうちのいずれか１つの近接センサと前記条件検知手段とからの検知信号に基づいて前記報知手段を制御することを特徴とする。
【００１３】
また、請求項８に記載の発明においては、請求項１乃至請求項７のいずれかに記載の玉詰まり検知システムにおいて、前記回収路には、前記第１の玉検知手段の設置位置の下流側に玉を下流側に誘導する一方異物を落下させる異物用落下溝を形成し、該異物用落下溝の下方にゴミ集積箱を挿脱自在に設けたことを特徴とする。
【００１４】
また、請求項９に記載の発明においては、請求項８記載の玉詰まり検知システムにおいて、前記ゴミ集積箱には、所定量の異物が貯留されたことを検出する異物検知手段を設け、前記報知制御手段は、前記異物検知手段からの検知信号に基づいて前記報知手段で異物が貯留されたことを報知することを特徴とする。
【発明の効果】
【００１５】
請求項１に記載の発明においては、回収路上に玉が所定時間停留する状態が出現する条件が成立していることを検知する条件検知手段からの検知信号がある状態において、回収路上に玉が所定時間停留していることを検知する第１の玉検知手段からの検知信号があっても、その場合には、回収路上に停留する玉が一時的に停留しているものと考えられホール側による回収路に対するメンテナンスが必要な状態でないと考えられるため、報知手段によって玉詰まり異常であるとの報知を行わないようになっている。一方、条件検知手段からの検知信号がない状態において、第１の玉検知手段からの検知信号がある場合には、回収路上の何からの原因により回収路上の玉が完全に停留しているものと考えられるため、報知手段によって玉詰まり異常の報知が行われるようになっている。これにより、ホール側は、玉詰まり異常であることが判断できる。つまり、請求項１に係る発明においては、回収路に対して玉詰まり解消のためのメンテナンスが必要な玉詰まりを正確に判断することができる。
【００１６】
請求項２に記載の発明においては、玉計数装置に玉が返却されていることを検知する条件検知手段としての第２の玉検知手段からの検知信号がある状態において、回収路上に玉が所定時間停留していることを検知する第１の玉検知手段からの検知信号があっても、その場合には、回収路上に停留する玉が返却される玉が一時的に停留しているものと考えられホール側による回収路に対するメンテナンスが必要な状態でないと考えられるため、報知手段によって玉詰まり異常であるとの報知を行わないようになっている。一方、第２の玉検知手段からの検知信号がない状態において、第１の玉検知手段からの検知信号がある場合には、回収路上の何からの原因により回収路上の玉が完全に停留しているものと考えられるため、報知手段によって玉詰まり異常の報知が行われるようになっている。これにより、ホール側は、玉詰まり異常であることが判断できる。つまり、請求項２に係る発明においては、回収路に対して玉詰まり解消のためのメンテナンスが必要な玉詰まりを正確に判断することができる。
【００１７】
また、請求項３に記載の発明においては、玉計数装置に玉が返却されていることを検知する第２の玉検知手段からの検知信号がある状態において、回収路上に玉が所定時間停留していることを検知する第１の玉検知手段からの検知信号がある状態の途中で、第２の玉検知手段からの検知信号がある状態からない状態、即ち、返却される玉がなくなった場合でも、しばらくは回収路上に玉が停留しているので、その停留が解除されるために設定された所定時間が経過したときに、第１の玉検知手段からの検知信号に基づく玉詰まり異常の報知を行うことにより、c間違った異常報知を防止することができる。
【００１８】
また、請求項４に記載の発明においては、第１の玉検知手段からの検知信号に基づいて異常報知をしている状況において、その途中で第２の玉検知手段からの検知信号によって玉の返却が検知されても、異常報知を継続的に行うことにより、玉詰まり異常の状態を正確に報知することができる。
【００１９】
また、請求項５に記載の発明においては、揚送装置が停止中の場合に回収路上の玉の停留を検知しても、それは、回収路上の何からの原因により回収路上の玉が完全に停留している状態である玉詰まりではなく、例えば揚送装置自体のメンテナンス等で一時的にその駆動が停止されていることにより、回収路上に停留する玉が一時的に停留しているものと考えられホール側による回収路に対するメンテナンスが必要な状態でないと考えられるため、回収路上の玉詰まり異常の報知を行わないようになっている。これにより、回収路に対して玉詰まり解消のためのメンテナンスが必要な玉詰まりを正確に判断することができる。
【００２０】
また、請求項６及び請求項７に記載の発明においては、回収路の複数の流路毎の玉詰まりを検知することができるため、回収路の全体が完全に玉詰まりする前に玉詰まりを解消することができる。
【００２１】
また、請求項８に記載の発明においては、回収路内に紛れ込んだ異物を積極的に取り除くことができ、回収路における玉詰まりの頻度を低下させることができる。
【００２２】
また、請求項９に記載の発明においては、ゴミ集積箱に異物が溜まったことが報知されるので、ゴミ集積箱の異物の過剰集積による回収路の玉詰まりを防止することができる。
【発明を実施するための最良の形態】
【００２３】
以下、図面を参照して本発明の実施の形態について説明する。まず、図１及び図２を参照して実施形態に係る遊技島１について説明する。図１は、遊技島１の内部構造を示す側方断面図であり、図２は、第１の玉検知手段（玉検知センサ２７ａ〜２７ｆ）が設けられる回収路としてのアウトレール６の部分斜視図である。なお、本実施形態における遊技島１に設置される遊技機は、パチンコ玉を使用して遊技を行う遊技機であれば、どのような種類の遊技機が設置されるものであってもよい。
【００２４】
図１において、遊技島１は、周知のようにそのほぼ中央側面に複数の遊技機（図示しない）と玉貸機（図示しない）とを交互に列設するように直方体状に枠組み形成されている。また、遊技島１の内部は、その下方部に各遊技機から排出されるパチンコ玉を受け入れ且つ当該遊技島１で営業中に必要とされ得る玉量を貯留する下部貯留タンク７が設けられ、そのほぼ中央に下部貯留タンク７に貯留された玉を放出樋１５及び導入樋１６を介して導き入れて上部に揚送する揚送装置２が設けられている。本実施形態における揚送装置２は、モータ２ａによって回転する搬送ベルトの旋回運動によって玉を揚送するものであり、その揚送中に搬送ベルトに対面して設けられる研磨ベルトと玉とが接触して玉を研磨しながら上部に揚送するものである。揚送装置２に揚送された玉は、一旦上部タンク３に貯留され、その上部タンク３の下部左右から遊技島１の左右の端部に向かって傾斜状に配置される補給樋４に供給される。
【００２５】
補給樋４には、分離シュート（図示しない）が設けられ、その分離シュートによって分岐された玉が各遊技機の背面上部に設けられる賞球タンクに供給される。また、各遊技機で使用されたパチンコ玉は、遊技島１の裏面下部に取り付けられるアウト玉箱５に放出された後、回収路としてのアウトレール６によって回収され、該アウトレール６の下流側に前記下部貯留タンク７が接続されて該下部貯留タンク７に貯留され、その後、上記したように揚送装置２によって上部に研磨揚送される。つまり、パチンコ玉は、遊技島１の内部を循環して使用されている。なお、アウトレール６は、揚送装置２の左右両側に設けられるが、図示の右側に設けられるアウトレール６は、遊技島１の揚送装置２の一側方に設けられる下部貯留タンク７に接続されるが、図示の左側に設けられるアウトレール６は、連絡樋８を介して揚送装置２の反対側に設けられる前記下部貯留タンク７に接続されるようになっている。そして、図示右側のアウトレール６の下部貯留タンク７の直前位置と図示左側のアウトレール６の前記連絡樋８の直前位置に第１の玉検知手段としての第１〜第６玉検知センサ２７ａ〜２７ｆが一体的に組み付けられるゴミ取り装置２０ａ，２０ｂが設けられている。また、下部貯留タンク７が設けられる側のアウトレール６の上流端は、遊技島１の一端面外側に設置される玉計数装置１２に返却された玉を受入れるように遊技島１の端部に接続されるようになっているが、そのアウトレール６の上流端部分に条件検知手段の一種である第２の玉検出手段としての返却玉検知センサ１３（後述する図４では、「第７検知センサ」と表示）が設けられている。この返却玉検知センサ１３によって玉計数装置に玉が返却されていることを検知するものである。
【００２６】
また、図示の下部貯留タンク７の場合、前記揚送装置２で揚送された玉であって上部タンク３から溢れた玉を還流パイプ９と誘導樋１０を介して貯留するようになっているが、左右のアウトレール６を流下してきた玉が内部に貯留されている玉よりも優先的に放出樋１５に誘導されるような内部構造となっている。また、下部貯留タンク７の前記放出樋１５の直前位置に対応する側壁には、玉抜用扉１１が形成されており、遊技島１の内部に過剰に玉が貯留された場合等において、その玉抜用扉１１を開いて手動的に玉を取り出すことができるようになっている。
【００２７】
遊技島１の内部構造は、概ね上記した通りであるが、遊技島１の外部には、その端部側壁上部にトップランプ１４や異常報知手段としての異常報知装置３０が設けられている。トップランプ１４は、前記下部貯留タンク７の貯留量や遊技島１に設置される遊技機に不正行為があったか否かを報知するものであり、異常報知装置３０は、本発明における報知手段を構成するものであり、アウトレール６に対して玉詰まり解消のためのメンテナンスが必要な玉詰まりが生じているか否かを報知するものである。
【００２８】
ところで、上記したゴミ取り装置２０ａ，２０ｂについて図２を参照して説明する。図２においては、前述した図示右側のアウトレール６に設けられるゴミ取り装置２０ａだけを示すが、図示左側のアウトレール６に設けられるゴミ取り装置２０ｂの構成も全く同じであるため、その説明を省略する。しかして、ゴミ取り装置２０ａは、所定高さの複数の区画壁２２によって区画されたレール部２１と、該レール部２１の下方に抜き出し可能なゴミ集積箱２４と、から構成されている。レール部２１は、区画壁２２によって玉が２列に並んで流下する流路が複数列（図示の場合には６列）形成され、各流路の区画壁と底面との間に異物を落下させるための落下溝２３がそれぞれの流路に対応して形成されている。このため、レール部２１の各流路を流下する玉に混じって異物（図示の場合には、コイン）が混入している場合には、玉が流路を流下する過程で、当該玉を下流側に向かって誘導させるものの、異物は、落下溝２３からゴミ集積箱２４に落下するようになっている。なお、レール部２１の各流路とアウトレール６との関係は、アウトレール６にも玉が列となって流れ易いように複数条の流下溝が形成されているが、この流下溝２条に対してレール部２１の１つの流路が対応するようになっている。このため、上述したように、レール部２１の各流路は、玉が２列に並んで流下するものである。もちろん、レール部２１の流路とアウトレール６の流下溝とが１対１で対応するものであっても良い。
【００２９】
また、レール部２１の上流側には、各流路の裏面に第１の玉検知手段としての第１〜第６玉検知センサ２７ａ〜２７ｆが取り付けられている。この第１〜第６玉検知センサ２７ａ〜２７ｆは、レール部２１の各流路に玉が所定時間停留しているか否かを検出するためのものである。そして、玉検知センサ２７ａ〜２７ｆが各流路のそれぞれに対応して設けられているために、玉の停留状態を各流路毎に検知することができるようになっている。なお、第１〜第６玉検知センサ２７ａ〜２７ｂが設けられる位置に対応する区画壁２２は、下流側が高くなる傾斜状に形成されている。
【００３０】
上記したレール部２１の下方に出し入れ自在に設けられるゴミ集積箱２４は、レール部２１の前記落下溝２３から落下した異物を貯留するように上面が開放した箱状に形成され、その一側側面に取手２６が固着されると共にゴミ満タン検知センサ２５が取り付けられている。このゴミ満タン検知センサ２５は、ゴミ集積箱２４に貯留される異物が所定量となったことを検知するもので、その検知信号が後述する第１制御基板５０及び第２制御基板６０に導出されて前記異常報知装置３０で報知されるようになっている。なお、図２において、アウトレール６とゴミ取り装置２０ａとの両側面には、アウトレール壁２８が立設固定され、アウトレール６及びゴミ取り装置２０ａ部分を流れる玉が外部に溢れ出ることを防止している。
【００３１】
また、遊技島１の端部上方に設けられる前記異常報知装置３０は、図３に示すような構成となっている。図３は、異常報知装置３０の正面概略図である。図３（Ａ）において、異常報知装置３０は、揚送装置停止を報知する揚送装置停止ランプ部３７と、一方のゴミ取り装置２０ａのゴミ満タンを報知するゴミ満タン報知１ランプ部３１と、一方のゴミ取り装置２０ａの上流部分における玉詰まりを報知する玉詰まり報知１ランプ部３２と、そのゴミ取り装置２０ａのレール部２１における各流路に対応する玉詰まり位置報知ランプ部３３と、他方のゴミ取り装置２０ｂのゴミ満タンを報知するゴミ満タン報知２ランプ部３４と、他方のゴミ取り装置２０ｂの上流部分における玉詰まりを報知する玉詰まり報知２ランプ部３５と、そのゴミ取り装置２０ｂのレール部２１における各流路に対応する玉詰まり位置報知ランプ部３６と、に区画形成されている。玉詰まり位置報知ランプ部３３，３６は、「Ａ」〜「Ｆ」に区分されており、それぞれの区分が第１〜第６玉検知センサ２７ａ〜２７ｆが設けられる流路に対応するようになっている。そして、例えば、一方のゴミ取り装置２０ａの上流部分における玉詰まりが第１玉検知センサ２７ａに対応する流路で発生したときには、図３（Ｂ）に示すように、玉詰まり報知１ランプ部３２と、玉詰まり位置報知１ランプ部３３の「Ａ」に対応した部分が点灯して玉詰まりを報知するようになっている。また、揚送装置２の駆動が停止したときには、図３（Ｃ）に示すように、揚送装置停止ランプ部３７が点灯するようになっている。しかし、揚送装置２が停止する前から一方のゴミ取り装置２０ａの上流部分における玉詰まりが第１玉検知センサ２７ａに対応する流路で発生している場合には、図３（Ｄ）に示すように、揚送装置停止ランプ部３７と玉詰まり報知１ランプ部３２と、玉詰まり位置報知１ランプ部３３の「Ａ」に対応した部分が点灯する。
【００３２】
ところで、上記した異常報知装置３０は、図４に示す制御手段によって制御される。図４は、異常報知装置３０を制御するための制御手段のブロック図である。図４において、電源スイッチを有する電源基板４０からは、揚送装置２のモータ２ａ、玉計数装置１２の返却玉検知センサ１３、ゴミ取り装置２０ａ（「アウトレールゴミ取り装置１」と表示）の第１〜第６玉検知センサ２７ａ〜２７ｆ、ゴミ取り装置２０ｂ（「アウトレールゴミ取り装置２」と表示）の第１〜第６玉検知センサ２７ａ〜２７ｆ、第１制御基板５０、及び第２制御基板６０に電源が供給されている。また、第１制御基板５０には、異常報知装置３０の揚送装置停止ランプ部３７と、ゴミ満タン報知１ランプ部３１と、玉詰まり報知１ランプ部３２と、玉詰まり位置報知１ランプ部３３と、が接続され、第２制御基板６０には、ゴミ満タン報知２ランプ部３４と、玉詰まり報知２ランプ部３５と、玉詰まり位置報知２ランプ部３６と、が接続されている。
【００３３】
第１制御基板５０の構成を、図５を参照してより詳細に説明する。図５は、第１制御基板５０のブロック図である。図５において、第１制御基板５０は、ＣＰＵ５１とＲＯＭ５２とＲＡＭ５３と入出力インターフェース５４とを具備している。入出力インターフェース５４には、ゴミ取り装置２０ａの第１玉検知センサ２７ａ〜第６玉検知センサ２７ｆからのＯＮ信号が入力され、また、ゴミ満タン検知センサ２５からの満タン信号（ＯＮ信号）が入力され、リセットスイッチ５５からのリセット信号が入力されている。また、揚送装置２のモータ２ａの駆動信号（条件検知手段からの信号）も入力され、玉計数装置１２の返却玉検知センサ１３からのＯＮ信号も入力されるようになっている。一方、入出力インターフェース５４からは、異常報知装置３０の揚送装置停止ランプ部３７と、ゴミ満タン報知１ランプ部３１と、玉詰まり報知１ランプ部３２と、玉詰まり位置報知１ランプ部３３とにランプ点灯のためのＯＮ信号が出力されるようになっている。
【００３４】
第２制御基板６０の構成を、図６を参照してより詳細に説明する。図６は、第２制御基板６０のブロック図である。図６において、第２制御基板６０は、ＣＰＵ６１とＲＯＭ６２とＲＡＭ６３と入出力インターフェース６４とを具備している。入出力インターフェース６４には、ゴミ取り装置２０ｂの第１玉検知センサ２７ａ〜第６玉検知センサ２７ｆからのＯＮ信号が入力され、また、ゴミ満タン検知センサ２５からの満タン信号（ＯＮ信号）が入力され、リセットスイッチ６５からのリセット信号が入力されている。また、揚送装置２のモータ２ａの駆動信号も入力されるようになっている。一方、入出力インターフェース６４からは、異常報知装置３０のゴミ満タン報知２ランプ部３４と、玉詰まり報知２ランプ部３５と、玉詰まり位置報知２ランプ部３６とにランプ点灯のためのＯＮ信号が出力されるようになっている。
【００３５】
次に上記した第１制御基板５０によって制御される異常報知装置３０の動作を図７乃至図９に示すフロー図を参照して説明する。図７において、ステップ１０で電源基板４０の電源スイッチがＯＮされているか否かが判別され、ＯＮされていれば、ステップ１１において、揚送装置２のモータ２ａが駆動されて駆動信号が導出されているか否かが判別される。モータ２ａの駆動信号が導出されていない場合には、ステップ１２で異常報知装置３０の揚送装置停止ランプ部３７のランプを点灯して処理を終了する。一方、ステップ１１でモータ２ａの駆動信号が導出されていると判別された場合には、ステップ１３で揚送装置停止ランプ部３７のランプを消灯処理してステップ１４に移行する。ステップ１４では、ゴミ満タン検知センサ２５からの検知信号が導出されているか否かが判別され、満タンの検知信号が導出されている場合にステップ１５でゴミ満タン報知ランプ部３１のランプを点灯し、導出されていなければステップ１６でゴミ満タン報知ランプ部３１のランプの消灯処理をした後に、共にステップ１７に移行する。
【００３６】
ステップ１７では、後述する図８に示すステップ２８〜ステップ４５において設定されるフラグＡ〜Ｆのうち、「０」以外が有るか否かが判別される。このフラグＡ〜Ｆは、第１の玉検知手段としての第１〜第６玉検知センサ２７ａ〜２７ｆが所定時間（本実施形態では５秒）以上ＯＮ状態であるときにそれぞれ「１」がセットされるものである。つまり、第１〜第６玉検知センサ２７ａ〜２７ｆのいずれかが玉詰まりを検出しているか否かがステップ１７で判別されることになる。そして、第１〜第６玉検知センサ２７ａ〜２７ｆのいずれかが玉詰まりを検出していると判別された場合には、ステップ１８でリセットスイッチ５５によるリセット信号が導出されているか否かが判別され、リセット信号が導出されていない場合には、後述するステップ２１に移行する。一方、リセット信号が導出されている場合には、ステップ１９で玉詰まり報知ランプ部３２と３３のＡ〜Ｆを消灯し、ステップ２０でフラグＡ〜Ｆを「０」にリセットしてステップ２３に移行する。
【００３７】
一方、前記ステップ１７で玉詰まりが検出されない場合には、ステップ２１で第２の玉検知手段である第７玉検知センサ１３がＯＮしているか否かが判別され、第７玉検知センサ１３がＯＮしている場合にはステップ２２でフラグＪを「１」にセットし、ステップ２２ａでタイマＴをリセットした後に処理を終了する。ここで処理を終了するのは、第７玉検知センサ１３がＯＮしている間は、下流側の第１〜第６玉検知センサ２７ａ〜２７ｆ部分では玉の停留状態が出現している可能性が高いため、第１〜第６玉検知センサ２７ａ〜２７ｆによる玉の停留を玉詰まりであると判断しないためにする処理である。また、第７玉検知センサ１３がＯＮしていない場合には次のステップ２３に移行する。なお、フラグＪは、玉計数装置１２に玉が返却されたときに「１」にセットされるものである。
【００３８】
ステップ２３では、上述したフラグＪが「１」であるか否かが判別され、「１」でない場合には、図８に示す処理に移行し、「１」である場合に、ステップ２４でタイマＴは動作中であるか否かが判別され、タイマＴが動作中でない場合にはステップ２５でタイマＴをスタートし、タイマＴが動作中である場合にはステップ２５の処理を飛ばしてステップ２６でタイマＴが５分経過したか否かが判別される。このタイマＴで設定される時間は、玉計数装置１２への玉の返却動作が終了されてから５分経過するまでは、仮にその間に第７玉検知センサ１３がＯＦＦとなっていても、下流側の第１〜第６玉検知センサ２７ａ〜２７ｆ部分では玉の停留状態が出現している可能性があるため、第１〜第６玉検知センサ２７ａ〜２７ｆによる玉の停留を玉詰まりであると判断しないために設定されるものである。しかして、タイマＴが５分経過していないと判別された場合には、処理を終了し、５分経過したと判別された場合には、ステップ２７でフラグＪを「０」にリセットする。なお、タイマＴの時間設定は、遊技島１の規模（回収路の長さが長くなるほどタイマＴの時間設定を長くする）に応じて任意に設定すればよい。
【００３９】
次に、図７のフロー図に続きについて図８を参照して説明する。図８において、ステップ２８で第１玉検出センサ２７ａからのＯＮ信号があるか否かが判別され、なければステップ３１に移行し、ＯＮ信号があればステップ２９でそのＯＮ信号が５秒以上入力されているか否かが判別され、５秒未満であればステップ３１に移行し、５秒以上であればステップ３０でフラグＡが「１」にセットされる。つまり、ステップ２８〜ステップ３０において第１玉検知センサ２７ａによって所定時間（５秒）の玉の停留が判別され、停留していると判別された場合にフラグＡが「１」にセットされるものである。同様に、ステップ３１〜ステップ３３において第２玉検知センサ２７ｂによって所定時間（５秒）の玉の停留が判別され、停留していると判別された場合にフラグＢが「１」にセットされ、ステップ３４〜ステップ３６において第３玉検知センサ２７ｃによって所定時間（５秒）の玉の停留が判別され、停留していると判別された場合にフラグＣが「１」にセットされ、ステップ３７〜ステップ３９において第４玉検知センサ２７ｄによって所定時間（５秒）の玉の停留が判別され、停留していると判別された場合にフラグＤが「１」にセットされ、ステップ４０〜ステップ４２において第５玉検知センサ２７ｅによって所定時間（５秒）の玉の停留が判別され、停留していると判別された場合にフラグＥが「１」にセットされ、ステップ４３〜ステップ４５において第６玉検知センサ２７ｆによって所定時間（５秒）の玉の停留が判別され、停留していると判別された場合にフラグＦが「１」にセットされる。
【００４０】
更に、図８のフロー図に続きについて図９を参照して説明する。図９において、ステップ４６でフラグＡに「１」がセットされているか否かが判別され、セットされていなければステップ４８に移行し、セットされていればステップ４７で玉詰まり報知ランプ部３２と玉詰まり報知ランプ部３３の「Ａ」部分のランプをそれぞれ点灯する。つまり、ステップ４６〜ステップ４７において、フラグＡが「１」にセットされているか否かを判別し、セットされていれば玉詰まり報知ランプ部３２と玉詰まり報知ランプ部３３の「Ａ」部分のランプをそれぞれ点灯させるものである。同様に、ステップ４８〜ステップ４９でフラグＢが「１」にセットされているか否かを判別し、セットされていれば玉詰まり報知ランプ部３２と玉詰まり報知ランプ部３３の「Ｂ」部分のランプをそれぞれ点灯させ、ステップ５０〜ステップ５１でフラグＣが「１」にセットされているか否かを判別し、セットされていれば玉詰まり報知ランプ部３２と玉詰まり報知ランプ部３３の「Ｃ」部分のランプをそれぞれ点灯させ、ステップ５２〜ステップ５３でフラグＤが「１」にセットされているか否かを判別し、セットされていれば玉詰まり報知ランプ部３２と玉詰まり報知ランプ部３３の「Ｄ」部分のランプをそれぞれ点灯させ、ステップ５４〜ステップ５５でフラグＥが「１」にセットされているか否かを判別し、セットされていれば玉詰まり報知ランプ部３２と玉詰まり報知ランプ部３３の「Ｅ」部分のランプをそれぞれ点灯させ、ステップ５６〜ステップ５７でフラグＦが「１」にセットされているか否かを判別し、セットされていれば玉詰まり報知ランプ部３２と玉詰まり報知ランプ部３３の「Ｆ」部分のランプをそれぞれ点灯させる。
【００４１】
以上のように、第１制御基板５０によってステップ１０〜ステップ５７までの処理が実行される。一方、第２制御基板６０によって実行される処理は、図１０→図８→図９であり、特に図７と図１０の処理において、相違する点は、図７においてモータ駆動信号が導出の有無に応じて揚送装置停止ランプ部３７を点灯させたり（ステップ１２）、消灯させたり（ステップ１３）するのに対し、図１０においては、単にステップ６２でモータ駆動信号の有無を判別するものの、その有無に応じてステップ１２，１３に相当する処理を実行しない点、及び第２制御基板６０においては、玉計数装置１２への玉の返却動作を監視していないので、図７のステップ２１〜ステップ２７の処理が実行されていない点である。それ以外の処理は、第１制御基板５０と第２制御基板６０の処理は同じである。もちろん、第２制御基板６０によって点灯制御されるランプ部は、異常報知装置３０のゴミ満タン報知ランプ部３４、玉詰まり報知ランプ部３５、玉詰まり報知ランプ部３６である。
【００４２】
以上、本実施形態における異常報知装置３０の制御について説明してきたが、本実施形態によれば、玉計数装置１２に玉が返却されていることを検知する第２の玉検知手段としての返却玉検知センサ１３（第７玉検知センサ）からの検知信号がある状態において、回収路であるアウトレール６及びレール部２１上に玉が所定時間停留していることを検知する第１の玉検知手段としての第１〜第６玉検知センサ２７ａ〜２７ｆのいずれかからの検知信号があっても、その場合には、アウトレール６上に停留する玉が一時的に停留しているものと考えられホール側によるアウトレール６に対するメンテナンスが必要な状態でないと考えられるため、報知手段である異常報知装置３０によって玉詰まり異常であるとの報知を行わないようにステップ２３〜ステップ５７の処理を省略するようになっている。一方、第２の玉検知手段である返却玉検知センサ１３（第７玉検知センサ）からの検知信号がない状態において、第１の玉検知手段としての第１〜第６玉検知センサ２７ａ〜２７ｆのいずれかからの検知信号がある場合には、アウトレール６上の何からの原因によりアウトレール６上の玉が完全に停留しているものと考えられるため、報知手段である異常報知装置３０がステップ２８〜５７の処理によって報知を行うように制御されるので、これにより、ホール側は、玉詰まり異常であることが判断できる。したがって、本実施形態においては、アウトレール６に対して玉詰まり解消のためのメンテナンスが必要なアウトレール６上の玉詰まりを正確に判断することができる。
【００４３】
また、本実施形態においは、玉計数装置１２に玉が返却されていることを検知する第２の玉検知手段である返却玉検知センサ１３（第７玉検知センサ）からの検知信号がある状態において、回収路であるアウトレール６上に玉が所定時間停留していることを検知する第１の玉検知手段としての第１〜第６玉検知センサ２７ａ〜２７ｆのいずれかからの検知信号がある状態の途中で、第２の玉検知手段である返却玉検知センサ１３（第７玉検知センサ）からの検知信号がある状態からない状態、即ち、返却される玉がなくなった場合では、ホール側によるアウトレール６に対するメンテナンスが必要な状態でないと考えられるため、ステップ２５で設定されるタイマＴによる所定時間が経過するまで、第１の玉検知手段としての第１〜第６玉検知センサ２７ａ〜２７ｆのいずれかからの検知信号に基づくステップ２８〜ステップ５７の異常報知を行わないことにより、間違った異常報知を防止することができる。一方、第２の玉検知手段である返却玉検知センサ１３（第７玉検知センサ）からの検知信号がない状態において、第１の玉検知手段としての第１〜第６玉検知センサ２７ａ〜２７ｆのいずれかからの検知信号がある場合には、回収路であるアウトレール６上の何からの原因によりアウトレール上の玉が完全に停留しているものと考えられるため、報知手段である異常報知装置３０によって玉詰まり異常の報知が行われるようになっている。これにより、ホール側は、玉詰まり異常であることが判断できる。つまり、アウトレール６上に対してメンテナンスが必要な玉詰まりかを正確に判断することができる。
【００４４】
また、玉計数装置１２に玉が返却されていることを検知する第２の玉検知手段である返却玉検知センサ１３（第７玉検知センサ）からの検知信号がある状態において、回収路であるアウトレール６上に玉が所定時間停留していることを検知する第１の玉検知手段としての第１〜第６玉検知センサ２７ａ〜２７ｆのいずれかからの検知信号がある状態の途中で、返却玉検知センサ１３（第７玉検知センサ）からの検知信号がある状態からない状態、即ち、返却される玉がなくなった場合でも、しばらくはアウトレール６上に玉が停留しているので、その停留が解除されるために設定された所定時間が経過したときに、第１〜第６玉検知センサ２７ａ〜２７ｆのいずれかからの検知信号に基づく玉詰まり異常の報知を行うことにより、間違った異常報知を防止することができる。
【００４５】
また、本実施形態においては、第１の玉検知手段としての第１〜第６玉検知センサ２７ａ〜２７ｆのいずれかからの検知信号に基づいて異常報知をしている状況（ステップ１７でＹＥＳ）において、その途中で第２の玉検知手段である返却玉検知センサ１３（第７玉検知センサ）からの検知信号によって玉の返却が検知（ステップ２１でＹＥＳ）されても、ステップ１８でリセット信号が導出されたと判別されない限り、ステップ１９の報知の消灯が実行されないため、異常報知を継続的に行うこととなり、玉詰まり異常の状態を正確に報知することができる。
【００４６】
また、本実施形態においては、揚送装置２が停止中の場合に回収路であるアウトレール６上の玉の停留を検知しても、それは、アウトレール６上の何からの原因によりアウトレール６上の玉が完全に停留している状態である玉詰まりではなく、例えば揚送装置２自体のメンテナンス等で一時的にその駆動が停止されていることにより、アウトレール６上に停留する玉が一時的に停留しているものと考えられホール側によるアウトレール６に対するメンテナンスが必要な状態でないと考えられるため、ステップ１１，１２により揚送装置２の停止を報知するもののアウトレール６上の玉詰まり異常の報知であるステップ２８〜ステップ５７の処理を行わないようになっている。これにより、アウトレール６に対して玉詰まり解消のためのメンテナンスが必要な玉詰まりを正確に判断することができ、揚送装置２の異常であることを正確に報知することができる。
【００４７】
また、本実施形態においては、回収路であるアウトレール６の複数の流路毎の玉詰まりを検知する第１〜第６玉検知センサ２７ａ〜２７ｆを設けたので、回収路であるアウトレール６の全体が完全に玉詰まりする前に玉詰まりを解消することができる。
【００４８】
更に、本実施形態においては、ゴミ集積箱２４に異物が溜まったことがゴミ満タン検知センサ２５報知されるので、ゴミ集積箱２４の異物の過剰集積による回収路であるアウトレール６の玉詰まりを防止することができる。
【００４９】
なお、以上説明した実施形態においては、左右のゴミ取り装置２０ａ，２０ｂに設けられる第１〜第６玉検知センサ２７ａ〜２７ｂからの信号の入力に基づいて異常報知装置３０を制御するものとして、第１制御基板５０と第２制御基板６０という２つの制御基板で制御するものを示したが、１つの制御基板で左右のゴミ取り装置２０ａ，２０ｂからの入力信号を処理して異常報知装置３０を制御するようにしても良い。
【図面の簡単な説明】
【００５０】
【図１】遊技島の内部構造を示す側方断面図である。
【図２】第１の玉検知手段が設けられる回収路としてのアウトレールの部分斜視図である。
【図３】異常報知装置の正面概略図である。
【図４】異常報知装置を制御するための制御手段のブロック図である。
【図５】第１制御基板のブロック図である。
【図６】第２制御基板のブロック図である。
【図７】第１制御基板によって制御される異常報知装置の動作を示すフロー図である。
【図８】第１制御基板によって制御される異常報知装置の動作を示すフロー図である。
【図９】第１制御基板によって制御される異常報知装置の動作を示すフロー図である。
【図１０】第２制御基板によって制御される異常報知装置の動作を示すフロー図である。
【符号の説明】
【００５１】
１  遊技島
２  揚送装置
６  アウトレール（回収路）
１２  玉計数装置
１３  返却玉検知センサ（第２の玉検知手段；条件検知手段）
２０ａ，２０ｂ  ゴミ取り装置
２１  レール部
２２  区画壁
２３  落下溝
２４  ゴミ集積箱
２５  ゴミ満タン検知センサ
２７ａ〜２７ｆ  第１〜第６玉検知センサ（第１の玉検知手段）
３０  異常報知装置（報知手段）
３１  ゴミ満タン報知１ランプ部
３２  玉詰まり報知１ランプ部
３３  玉詰まり位置報知１ランプ部
３４  ゴミ満タン報知２ランプ部
３５  玉詰まり報知２ランプ部
３６  玉詰まり位置報知２ランプ部
３７  揚送装置停止ランプ部
５０  第１制御基板（報知制御手段）
６０  第２制御基板（報知制御手段）
【図１】
2007289516.tif 000003
【図２】
2007289516.tif 000004
【図３】
2007289516.tif 000005
【図４】
2007289516.tif 000006
【図５】
2007289516.tif 000007
【図６】
2007289516.tif 000008
【図７】
2007289516.tif 000009
【図８】
2007289516.tif 000010
【図９】
2007289516.tif 000011
【図１０】
2007289516.tif 000012